(57)【要約】  本発明は、枚葉紙印刷機（１）の枚葉紙案内胴（３）用の、印刷枚葉紙を把持するためのくわえシステム（１００）であって、くわえシャフト（９）と、くわえシャフトに設けられているくわえ（８）と、を備え、くわえ（８）は、同期通常運転中に前記くわえシャフト（９）の揺動運動によって枚葉紙案内胴（３）の胴溝内に入り込むことができ、それにより、入り込んだ後で完全に胴の外郭内部に存在する状態になる、くわえシステム、に関する。本発明によると、くわえシステム（１００）は、胴の位相変位の際に径方向に変位可能に構成されており、それにより、くわえシステム（１００）の前記くわえ（８）が沈下凹部（１４）内に沈下して、弾性的に支持されているくわえ当接縁部（１０）に当接するようになっており、くわえ当接縁部は、くわえシステム（１００）が径方向に変位する際に、くわえ（８）の沈下を可能にする。
2008521637.tif 000002
【特許請求の範囲】
【請求項１】
枚葉紙印刷機（１）の枚葉紙案内胴用の、印刷枚葉紙を把持するためのくわえシステムであって、くわえシャフト（９）と、該くわえシャフトに設けられているくわえ（８）と、を備え、前記くわえ（８）は、同期通常運転中に前記くわえシャフト（９）の揺動運動によって枚葉紙案内胴（３）の胴溝内に入り込むことができ、それにより、入り込んだ後で完全に胴の外郭内部に存在する状態になる、くわえシステムにおいて、
当該くわえシステム（１００）は、胴の位相変位の際に径方向に変位可能に構成されており、それにより、当該くわえシステム（１００）の前記くわえ（８）が沈下凹部（１４）内に沈下して、弾性的に支持されているくわえ当接縁部（１０）に当接するようになっており、前記くわえ当接縁部は、当該くわえシステム（１００）が径方向に変位する際に、前記くわえ（８）の沈下を可能にすることを特徴とする、くわえシステム。
【請求項２】
請求項１に記載のくわえシステムにおいて、
前記くわえ当接縁部（１０）の弾性支持部は、案内ボルト（１３）および圧縮バネ（１２）によって移動されることを特徴とする、くわえシステム。
【請求項３】
請求項１または２に記載のくわえシステムにおいて、
たとえばゴム胴（２）等の共働する胴の側方に設けられているカム（４）であって、その半径が前記枚葉紙案内胴（３）内に突出するようになっているカムを備え、該カム（４）は、同期通常運転の場合、前記くわえ（８）の領域が切り欠かれていることを特徴とする、くわえシステム。
【請求項４】
請求項３に記載のくわえシステムにおいて、
前記くわえ当接縁部（１０）は対向カムを有しており、該対向カムは、前記くわえ（８）の領域において、前記枚葉紙案内胴（３）の半径を越えて突出することを特徴とする、くわえシステム。
【請求項５】
請求項３または４に記載のくわえシステムにおいて、
前記くわえシャフト（９）は追加のロールレバー（１１）を備え、該ロールレバーは、同期通常運転の場合、前記ゴム胴（２）の前記カム（４）の凹部内に沈下するが、前記ゴム胴（２）と前記枚葉紙案内胴（３）との間の位相変位の際には、前記カム（４）を介して前記くわえ当接縁部（１０）が沈潜し、かつそれに続いて前記くわえ（８）が前記沈下凹部（１４）内に沈下するように作用することを特徴とする、くわえシステム。
【請求項６】
請求項１ないし５のいずれか１項に記載のくわえシステムにおいて、
前記胴（２、３）は、好適には電子駆動部によって別個に駆動可能に構成されていることを特徴とする、くわえシステム。
【発明の詳細な説明】
【技術分野】
【０００１】
本発明は、請求項１のおいて書きに記載の枚葉紙印刷機の枚葉紙案内胴用のくわえシステムに関する。
【背景技術】
【０００２】
特許文献１には、印刷枚葉紙を把持するための、枚葉紙輪転グラビア印刷機の枚葉紙案内胴用のくわえ装置が記載されている。このくわえ装置は、揺動装置によって、胴の周縁上に設けられている回転中心回りに回転させられることによって、枚葉紙案内胴の胴溝内に入り込むことができ、それにより、くわえが完全に枚葉紙案内胴の外郭内に存在する状態になる。くわえ装置のくわえシャフト上には、胴端面の外部にそれぞれ１つのカムローラが設けられている。このカムローラは、印刷機のフレームに固設されているカムディスクに対して回転しながら、胴の位置に応じて、弾性力に抗いつつくわえ装置を沈下位置へと押し込む。この沈下運動は、カムディスクの形状および胴溝内に形成された案内部によって規定される。
【０００３】
上記文献に記載されているくわえ装置において、胴がたとえば電子駆動部によって別個に駆動される場合、機能部分間の回転位置に関する正しい対応配置が失われると印刷装置内で胴同士が衝突するおそれが生じる。このような場合、枚葉紙案内胴のくわえが、たとえばゴム胴のゴムブランケットを損傷するか、または、ゴム胴がくわえの位置を狂わせるかもしくは損傷しかねない。そこで、印刷装置においてプレート胴およびゴム胴間または圧胴および転写胴間に生じる相対変位が問題となる。この相対変位は、ニス引きモジュール内の版胴および圧胴間でも起こり得る。機能部分間の位相変位は、たとえば停電の際に生じ得る。
【特許文献１】独国特許発明第３０４９０６７号明細書
【発明の開示】
【発明が解決しようとする課題】
【０００４】
本発明の課題は、同期が失われた際の損傷をほとんど防止する、枚葉紙印刷機の枚葉紙案内胴用のくわえシステムを提供することである。
【課題を解決するための手段】
【０００５】
本発明によると、上記課題は、請求項１に記載の特徴を有する、枚葉紙印刷機の枚葉紙案内胴用のくわえシステムを提供することによって解決される。
【０００６】
本発明の好適な実施形態および変更形態は、従属請求項に記載されている。
【０００７】
本発明によると、枚葉紙印刷機の枚葉紙案内胴用のくわえシステムは、胴の位相変位の際に径方向に変位可能に構成されており、それにより、くわえシステムのくわえが沈下凹部内に沈下して、弾性的に支持されているくわえ当接縁部に当接するようになっている。このくわえ当接縁部は、くわえシステムが径方向に変位する際に、くわえの沈下を可能にする。弾性的に支持されているくわえ当接縁部が沈潜するので、くわえを備えるくわえシャフトが、好適なやり方で枚葉紙案内胴の周縁部の下に押下され、それによって、衝突ゾーンから退出することができる。これによって、別個に駆動される胴を有する印刷機の場合に胴間の同期が失われた場合でも、好適なやり方で損害を防ぐことができるようになる。機能部分間の対応配置は、たとえば停電の際に失われるおそれがある。
【０００８】
本発明に係るくわえシステムの構成において、くわえ当接縁部の弾性支持部は、たとえば案内ボルトおよび圧縮バネによって移動される。
【０００９】
さらなる構成では、本発明に係るくわえシステムは、ゴム胴の側方に設けられているカムを有する。このカムの半径は、枚葉紙案内胴内に突出しており、その際、カムはくわえの領域で切り欠かれている。この切り欠きによって、同期通常運転時に、くわえを所定のやり方で使用することができるようになる。その理由は、くわえが、印刷枚葉紙を把持するために、切り欠き部の領域において枚葉紙案内胴の外郭を越えて突出することができるからである。胴間の位相が変位している場合には、カムの形状は、くわえシステムが径方向に変位して、くわえが衝突ゾーンから退出するように作用する。
【００１０】
本発明に係るくわえシステムのさらなる構成では、くわえ当接縁部は対向カムを備える。この対向カムは、くわえの領域において、枚葉紙案内胴の半径を越えて突出し、ゴム胴等の協働する胴のカムと協働し、それにより、位相変位の際にくわえ当接縁部が沈潜するようにする。
【００１１】
本発明に係るくわえシステムのさらなる構成では、くわえシャフトはロールレバーを有する。このロールレバーは、同期通常運転時に、ゴム胴等の協働する胴のカムの凹部内に沈下するとともに、ゴム胴および枚葉紙案内胴間の位相が変位している場合に、カムを介して、くわえ当接縁部が沈潜しかつそれに続いてくわえが沈下凹部内に沈下するように作用する。
【００１２】
本発明に係るくわえシステムの上述の構成要素は、印刷機の同期通常運転を可能にするとともに、同期が失われた場合に個々の構成要素を協働させることによってくわえを沈潜させるように作用し、それにより、衝突および損傷を防止するように構成および配置されている。
【００１３】
くわえシステムの胴は、電子駆動部によって別個に駆動可能に構成されていることが好ましい。
【発明を実施するための最良の形態】
【００１４】
本発明の好適な一実施形態を図面に示すとともに以下に記載する。
【００１５】
図１から分かるように、枚葉紙印刷機１は、本発明の主要構成要素として、カム４を備えるゴム胴２と、くわえシステム１００を備える圧胴３とを備える。このくわえシステムは、くわえ当接縁部１０と、くわえシャフト９と、このくわえシャフト９に設けられているくわえ８とを含む。図１からさらに分かるように、ゴム胴２はプレート胴７と共働し、圧胴３は渡し装置６に噛み合うように構成されている。ゴム胴２の側方に設けられているカム４の半径は、圧胴３内に突出する。ただし、カム４はくわえ８の領域において切り欠かれており、それにより、印刷機で同期通常運転を行うことができるようになる。
【００１６】
図２および図３の概略部分図から分かるように、圧胴３用のくわえシステム１００は、印刷枚葉紙を把持するために、くわえシャフト９と、このくわえシャフト９に設けられているくわえ８と、弾性的に支持されているくわえ当接縁部１０と、ロールレバー１１と、を含む。ロールレバーは、くわえ８を径方向に変位させるために、ゴム胴２のカム４およびくわえシャフト９に協働する。カム４の凹部によって、同期通常運転時に、所定のやり方に従ってくわえ８を使用することができるようになる。その理由は、ロールレバー１１がカム４の凹部の領域に嵌合すると、くわえ８が、印刷枚葉紙を把持するために、圧胴３の外郭を越えて突出することができるからである。くわえシステム１００のこの状態が図２に示されている。さらに、くわえ８は、同期運転中にくわえシャフト９の揺動運動によって圧胴３の胴溝内に入り込むことができ、それにより、入り込んだ後で完全に圧胴３の外郭内部に存在する状態になる。
【００１７】
胴の位相変位の際、くわえシステム１００は径方向に変位されるので、くわえシステム１００のくわえ８は、沈下凹部１４内に沈下して、弾性的に支持されているくわえ当接縁部１０に当接する。このくわえ当接縁部は、くわえシステム１００が径方向に変位する際にくわえ８の沈下を可能にするものである。図３から分かるように、たとえば停電によって引き起こされるゴム胴２と圧胴３との間の位相の変位が生じる場合、ロールレバー１１は、カム４の凹部内にあるのではなく、カム４上に存在する。これによって、弾性的に支持されているくわえ当接縁部１０が沈潜する。そして、これに続いてくわえ８が沈下凹部１４内に沈下するように、ロールレバー１１がくわえシャフト９を介して作用する。くわえ当接縁部１０の弾性支持部は、たとえば案内ボルト１３および圧縮バネ１２によって移動される。
【図面の簡単な説明】
【００１８】
【図１】本発明に係る構成要素を図示するための、枚葉紙輪転印刷機の印刷装置の概略断面図である。
【図２】同期通常運転中の図１の圧胴を詳細に示した部分図である。
【図３】胴の位相が変位している間の図１の圧胴を詳細に示した部分図である。
【符号の説明】
【００１９】
１  印刷機
２  ゴム胴
３  圧胴
４  カム
６  渡し装置
７  プレート胴
８  くわえ
９  くわえシャフト
１０  くわえ当接縁部
１１  ロールレバー
１２  圧縮バネ
１３  案内ボルト
１４  沈下凹部
１００  くわえシステム
【図１】
2008521637.tif 000003
【図２】
2008521637.tif 000004
【図３】
2008521637.tif 000005
【国際調査報告】
2008521637.tif 000006
2008521637.tif 000007
2008521637.tif 000008
2008521637.tif 000009
2008521637.tif 000010
2008521637.tif 000011